Podtech/llm-jp-corpus-v4-ja_patent huggingface dataset:
(57)【要約】【課題】本物のような大きくて迫力のあるロケットを子供達が実際に作って飛ばす。【解決手段】ロケット本体を極めて軽い構造につくり、大きくして、弱い推力でも飛ばせるようにする。【選択図】図１
2006187376.tif 000002
【特許請求の範囲】
【請求項１】
図１のごとく、４つ切サイズの画用紙２枚を縦に丸めて、筒１、にして２段につなぎ中に補強板の役目をする切ったペットボトル２、を画用紙のつなぎ目の中央と、先たん部分に取り付け、下部にペットボトルを取り付けて、非常に軽く作ったロケット。
【請求項２】
図２のごとく、請求項１のロケットの画用紙の部分を細い割竹４、の骨組みにして、補強板の発泡スチロールの板５、を取り付け、外側に紙６、を張って非常に軽く作ったロケット．
【請求項３】
図３のごとく請求項１の画用紙の部分を発泡スチロール板を丸めて作り、筒７にする。そして、中に補強板の発泡スチロール板５、を取り付け、非常に軽い、超大型ロケットが作れる構造にした非常に軽いロケット。
【発明の詳細な説明】
【技術分野】
【０００１】この発明はロケット本体を、ロケットを飛ばすのに、支障のない極限の所まで軽い構造にした、超軽量クラフトロケットに関するものである。
【背景技術】
【０００２】従来の飛ばせる模型ロケットには、ペットボトルロケットや、火薬エンジンを取り付けた、モデルロケットがある
これらのロケットは、ロケットの体積に対するロケットの重量の割合が大きく、相対的に重いロケットである。
軽くするべく、細長い、ビニールの袋に空気を入れ胴体にしたものや、玩具の空気入りビニールバットを胴体にした、バルーンロケットがある。
【発明の開示】
【発明が解決しようとする課題】
【０００３】従来の模型ロケットには次のような欠点があった。
イ）．推力が弱く、胴体が、重い構造なので大型模型ロケットを飛ばせなかった。
ロ）．ビニール袋やビニールバットに空気を入れたものは空気もれ等により長期の形状維持が困難であり、又精密模型を作る事が出来ない。
本発明はこれらの欠点を除くためになされた。
【課題を解決するための手段】
【０００４】４つ切サイズの画用紙２枚を縦に丸めて２段につなぎ、筒１、にする、中に補強板の役目をする切ったペットボトル２、を画用紙のつなぎ目の中央と先たん部分に取り付け、下部にロケットエンジンにするペットボトルを取り付け、非常に軽いロケットを作る。
又、画用紙の部分を細い割竹の骨組みにもする。
さらに画用紙の部分を発砲スチロール板を丸めて作り、超大型の非常に軽いロケットが作れるようにする。
【発明の効果】
【０００５】従来のペットボトルロケットに画用紙数枚の重さをプラスするだけで体積が数倍にする事ができて、相対的に大変軽いロケットになる。
画用紙等クラフト材料は工作が簡単であり、プラモデルのような精密で見ごたえのするロケットにする事もでき、科学館で展示してあるような大きくて、本物のようなロケットを子供達が、実際に飛ばす事が出来る。
最近学校等で、理科離れによる、本物体験の必要性が、盛んに叫ばれるようになった。
発泡スチロール板でロケットを作ると非常に大きなロケットが、大変軽く作れる。子供達が学校等で自分達でロケットを作り自分達でスタッフになって大迫力のロケット打ち上げ体験ができる。
又、ロケットの飛翔特性、ブースターロケットの役割等実験学習する時軽いロケットは、スピードをコントロールしやすいので、実験結果が見た目にも分かりやすい。
従来の弾丸ロケットでは、ロケットのスピードがありすぎ、実験がやりにくいし、その結果も分かりにくい。
【発明を実施するための最良の形態】
【０００６】以下本発明の実施の形態について説明する。
イ）、４つ切サイズの画用紙２枚を縦に丸めて、２段につなぎ、筒１、にする、中に補強板の役割をする、切ったペットボトル２、を画用紙のつなぎ目の中央とロケットの先たん部分に取り付け、下部にペットボトルを取り付ける。
ロ）、できたロケットをペットボトルロケットを打ち上げる手順に従って打ち上げる。
【実施例】
【０００７】本発明の請求項１のロケットの画用紙を３段、４段とさらに重ねて打ち上げた所５０ｍの高さまで飛んだ。又、スプレー塗料をぬったら本物に近い姿になった。赤いクラフトテープをはってもカッコ良かった。
請求項２のロケットを大きく作ると中にヘリウムガスや熱気を入れて空中に浮かすことができ、更にロケットエンジンで押し上げる事ができる。
請求項３のロケットになると大きなロケットを飛ばす事ができ現在直径６０ｃｍ、全長８ｍの発泡スチロールロケットを業務用ペットボトル７本を取り付け、水平距離で５０ｍ、高さ３５ｍの飛行に成功している。
【産業上の利用可能性】
【０００８】子供達の教材、科学館や、ロケット打ち上げ場の見学者に対する打ち上げ体験イベント。
【図面の簡単な説明】
【０００９】
【図１】「ロケットの胴体を画用紙で作った構造図」
【図２】「ロケットの胴体を割竹と紙で作った構造図」
【図３】「ロケットの胴体を発泡スチロールで作った構造図」
【符号の説明】
【００１０】１、画用紙２、切ったペットボトル、３、ペットボトル、４、割竹、５発泡スチロール板、６、紙、７、発泡スチロール板、
【図１】
2006187376.tif 000003
【図２】
2006187376.tif 000004
【図３】
2006187376.tif 000005
(57)【要約】【課題】乳幼児を支えて移動できるだっこ紐やベビースリングの形状は着脱時にバックルやリングを使用して固定しなければならなかったり、外出時には乳幼児を寝かせるスペースが必要であったり非常に面倒であり、携帯には別途荷物になっていた。また、接続部品が抱っこしている人や乳幼児にあたると不快で危険であった。その上、だっこ紐は細い紐であり、ベビースリングは片側の肩だけで体重を支えるので肩への負担が大きかった。眠った乳幼児を布団に寝かすのにもだっこ紐やベビースリングを取り除かないと危険で、外すのも困難で寝ているのを起こしてしまいがちであった。ベビースリングに関しては一、二歳になると布の中で子供が立ち上がろうとしたり、反り返ったりすると転落の危険性もあった。【解決手段】輪になっている２本の幅広の布をそれぞれ両肩から斜めに掛けクロス２で乳幼児の足を通しお尻をスッポリ包み込んで使用するものである。【選択図】図１
2006187372.tif 000002
【特許請求の範囲】
【請求項１】
乳幼児を抱っこする際に、輪になっている２本の布を用いてそれぞれ両肩から斜めにかけクロスしたところで乳幼児のお尻を包み込むことを特徴とする抱っこ紐。
【発明の詳細な説明】
【技術分野】
【０００１】  この発明は、乳幼児をだっこする際に用いるだっこ紐の形状に関する。
【背景技術】
【０００２】  従来のだっこ紐の用具の形状は、図７に示すように、装着するのにバックル４やリング５の接続部品が設けられ紐が細いもので、ベビースリングの形状は、図８に示すように、リング６の接続部品が設けられたものである。
【発明の開示】
【発明が解決しようとする課題】
【０００３】しかしながら、以上の技術によれば、着脱に時間がかかり面倒で、接続部品が抱っこする人や乳幼児の体にあたり不快で危険であり、眠った子供を布団におろすのにもだっこ紐を外すのが困難で、せっかく眠ってくれた子供を起こしてしまうことが多かった。また乳幼児の体重を支えるのに、肩への負担が大きかった。その上、持ち運びには別途荷物になり不便であった。
そこで、この発明は、着脱を簡単にし、肩への負担を少なくし楽にだっこできるだっこ紐を提供することを課題とする。
【課題を解決するための手段】
【０００４】  以上の課題を解決するために、第一発明は、輪になっている２本の布を用いてだっこすることを特徴とするだっこ紐である。
また、第二発明は、輪になっている２本の布は両肩からそれぞれ斜めにかけ、クロスしたところで乳幼児のお尻を包み込むことを特徴とするだっこ紐である。
【発明の効果】
【０００５】  第一発明、または第二発明によれば、バックルやリングを使用することなく着脱が簡単にでき、布の幅を広くし両肩で乳幼児の体重を支えるので肩への負担が少なく、コンパクトにたためて携帯に便利で手軽に洗濯ができる。
【発明を実施するための最良の形態】
【０００６】  この発明の一実施形態を、図１に示す。
だっこ紐の本体１は厚手の綿の布製であり、２本の布がそれぞれ輪になっている。１本の輪の中にもう１本を通す。クロスが二箇所でき、一方のクロス２を小さく固定させている。【０００７】「実施形態の効果」
この実施形態によれば、２本の幅広の布の働きで肩への負担も少なく、着脱もバックルやリングを使うことなく安全で、クロス２を小さく固定することで乳幼児の足の出し入れが簡単にでき、眠った場合もだっこ紐ごと布団に下ろし、簡単に抜き取ることができます。子供の体勢も楽な姿勢で子供への負担もなく、前向き抱っこが好きな子供にも使え、その上、小さくたためて携帯に便利です。汚れても家庭で洗えるのでお手入れも楽々です。着用感もカジュアルでだっこ紐に見えずお父さんにも抵抗なく使用でき、対象年齢も首のすわりから３歳頃まで長期間使用できます。また、リバーシブルの布を使えは装着者の服に合わせて、カラーコーディネイトもでき、おしゃれ感覚のひとつとしてもつかえます。【０００８】「他の実施形態」
図１の実施形態では、子供の背中に手を添えることを前提としただっこ紐ですが、他の実施形態では、図２の様に背中にストロングホック３で取り外しできる補助用の紐４を付けても良い。
【図面の簡単な説明】
【０００９】
【図１】この発明の一実施形態を示す斜視図である。
【図２】他の実施形態を示す斜視図である。
【図３】実施形態の装着の仕方を示す図である。
【図４】実施形態の装着時の前面図である。
【図５】実施形態の装着時の背面図である。
【図６】実施形態の取りはずし方を示す図である。
【図７】従来技術のだっこ紐を示す斜視図である。
【図８】従来技術のベビースリングを示す斜視図である。
【符号の説明】
【００１０】      １  だっこ紐本体          ２  子供のお尻を包み込むクロス
３  ストロングホック      ４  補助用の紐
５  バックル（接続部品）  ６  バックル（接続部品）
７  リング（接続部品）
【図１】
2006187372.tif 000003
【図２】
2006187372.tif 000004
【図３】
2006187372.tif 000005
【図４】
2006187372.tif 000006
【図５】
2006187372.tif 000007
【図６】
2006187372.tif 000008
【図７】
2006187372.tif 000009
【図８】
2006187372.tif 000010
(57)【要約】【課題】  従来の永久磁石や電磁石の吸引力や反発力を利用した装置は重力に対して物体を浮上させることが主体で、ヒト自身が浮遊感を楽しむための遊具としては報告がされなかった。【解決手段】  電磁石、若しくはネオジム磁石等強力な永久磁石を地上に敷き、ネオジム磁石等強力な永久磁石を靴底に固定した専用靴を履いたヒトが地上に敷かれた磁石の上でバランスを取り、互いの反発力によって磁気浮上する。従来磁気浮上させた物体は位置センサ等によりバランスを保っていたが、ヒト自身のバランス感覚に委ねる事により、スポーツ性が生まれ、遊具となり得る。【選択図】図１
2006187373.tif 000002
【特許請求の範囲】
【請求項１】
地上に敷かれた磁石と靴底に磁石を固定した専用靴の反発力によって浮力と推進力を得、且つヒト自身がその専用靴を履いて地上に敷かれた磁石の上でバランスを取ることにより浮遊感を楽しむことの出来る遊具。
【発明の詳細な説明】
【技術分野】
【０００１】  本発明は、板磁石を磁気浮上させる装置に関するもので、靴底に磁石を固定した専用靴を履いたヒト自身が地面に敷かれた靴底と反発する磁石の上でバランスを取ることにより浮遊感を楽しむ遊具としても利用できるようにしたものである。
【背景技術】
【０００２】  従来、モーターや回転体などの非接触軸受けや、搬送体の磁気浮上などとして、永久磁石や電磁石の吸引力や反発力を利用した装置、さらにマイスナー効果に基づく反磁性を利用した磁気浮上装置などが多数報告されている。
【発明の開示】
【発明が解決しようとする課題】
【０００３】  しかし、重力に対して物体を浮上させることが主体で、ヒト自身が浮遊感を楽しむための遊具としては報告がされなかった。
【課題を解決するための手段】
【０００４】  上記の目的を達成するために、本発明の請求項１に係わる磁石の反発力を利用した遊具において、地上に敷かれた磁石は電磁石、若しくはネオジム磁石等強力な永久磁石を用い、磁気浮上させる板状磁石を靴底に固定した専用靴にはネオジム磁石等強力な永久磁石を用い、互いの反発力によって磁気浮上させる。従来磁気浮上させた物体は位置センサ等によりバランスを保っていたが、ヒト自身のバランス感覚に委ねる事により、スポーツ性が生まれ、遊具となり得る。
【発明の効果】
【０００５】  以上説明したように、従来磁気浮上させたものは位置センサ等によりバランスを保っていたが、ヒト自身のバランス感覚に委ねる事により、スポーツ性が生まれ、遊具となり得る。
【発明を実施するための最良の形態】
【０００６】  スケートリンクのように地上に電磁石若しくはネオジム磁石等強力な永久磁石を張り巡らし、ヒトがそれぞれの体重に合わせた１〜２センチメートル程度の厚さのネオジム磁石等強力な永久磁石を靴底に固定した丈夫な専用靴を履いて自身の身体を数センチ磁気浮上させてバランスを取ることにより、浮遊感を楽しむことが出来る。
【図面の簡単な説明】
【０００７】
【図１】磁気浮上させた状態を横から見た簡単な図
【符号の説明】
【０００８】１  電磁石若しくはネオジム磁石等の強力な永久磁石
２  ネオジム磁石等強力な永久磁石を固定した靴底
３  丈夫な専用靴
【図１】
2006187373.tif 000003
(57)【要約】【課題】      車の乗降時に濡れる事無く容易に開閉出来る雨傘を提供する。【解決手段】  降車時には裏が返しに閉じた雨傘を少し開けたドアと車体の間に差し込み、柄を引き出して上ろくろを柄の先端に固定した後、下ろくろを引き下げて雨傘を開き降車する。乗車する時には下ろくろを押し上げて雨傘を裏返しに閉じしつつ体を車に乗せ、柄は折り畳まれた防水シートの中に押し込んで車内に持ち込む。従って乗降車時雨傘の開閉に車体やドアが支障になる事もなく、衣服を濡らす事もない、さらに車内で衣服やシートを濡らす事のない特徴をもっている【選択図】    図１
2006187374.tif 000002
【特許請求の範囲】
【請求項１】
傘の柄の上部に嵌め込んだ上ろくろを摺動式とし、柄の上部にストッパーと、下ろくろに突出する首を設け、受け骨はその長さを受け骨の親骨への取り付け位置から上ろくろの軸止めまでの長さよりも長く、伸縮性のある防水シートを使用する特徴を持つ雨傘。
【発明の詳細な説明】
【技術分野】
【０００１】  本発明は雨傘に属するものである
【背景技術】
【０００２】  従来の雨傘は、上ろくろが柄の先端に固定され、防水シートの中心部は上ろくろに周辺部は親骨の先端に固定され、受け骨を取付けた下ろくろを柄に沿って上下に摺動させ受け骨と連動させる事により開閉する方式で、閉じた時は防水シートの表面即ち雨水に濡れた面を外側にして閉じる特徴がある。【０００３】
【特許文献】  特開平１１−２７６２２３号公法
【発明の開示】
【発明が解決しようとする課題】
【０００４】  従来の雨傘では防水シートの雨水で濡れた面を外側にして閉じるため、持ち歩く時、車に持ち込んだ時に水滴が体や衣服を濡らす。さらに車への乗降時には車体とドアが障害となり、開閉がままならず乗車時は予め閉じ、降車時は身を乗り出して傘をドアの上に持ち上げて開かねばならない。従って乗車時にも、降車時にも一時雨に打たれる事は避けられず衣服が濡れる事となる。さらに濡れた傘は車内でシートや運転者の衣服を濡らす事ともなる。本発明は上記の様な課題を解決する事を目的としている。
【課題を解決するための手段】
【０００５】  上記目的を達成するため、本発明の雨傘は上下ろくろが共に摺動する構造になっている。【０００６】  閉じた傘を開く時には、まず防水シートの中に収められている柄を引き出し上部先端部に設けた上部のストッパーで上ろくろを固定した後、さらに下ろくろを引下げて、雨傘を開き、下ろくろ下部のストッパー用開口部に下部のストッパーを嵌め込んで開けた雨傘を固定する。【０００７】  下ろくろを引下げる時、下ろくろに軸止めされた受け骨が親骨を引き下げる作用をし下ろくろの動きと連動して雨傘を開く。【０００８】  開いた雨傘を閉じる時は開く時とは全くの逆で、下ろくろを上に押上げ、下ろくろの首の部分で上ろくろを固定している上部のストッパーを押え込んで上ろくろを摺動可能な状態にして雨傘を閉じる。【０００９】その後、柄を畳込まれた状態の防水シートの中に押し込んで収める。【００１０】  受け骨の長さは、受け骨の親骨への取付け位置から上ろくろの軸止めまでの長さより長くする。【００１１】  そのため、下ろくろを押し上げれば受け骨が親骨を押し上げ、引き下げれば親骨を引き下げる事になり、下ろくろの上下運動が雨傘の開閉と連動する。【００１２】  防水シートは中心部を上ろくろに、周辺部を親骨の先端に固定する為裏返しになる時に防水シートの伸びを必要とする。従って防水シートには伸縮性のある素材を使用して裏返しが容易になるとともに雨傘を開いた時点で防水シートに張りが無くならない様にする。【００１３】  従来の傘同様に防水面を表にして閉じる場合は下のストッパーを押えて下ろくろを引き下げれば閉じる事が出来る。
【発明の効果】
【００１４】  従来の雨傘を使用した場合は車の乗降時、車のドアが支障になり開閉がスムーズにいかず乗降する人の衣服を濡らす事が避けられない。本発明の雨傘を使用すれば、乗降時に雨傘の開閉する動作が簡単で、かつ衣服が濡れる状態を避ける効果がある。また車の中に持ち込んでも衣服や座席を濡らす事もない。
【発明の実施するための最良の形態】
【００１５】以下、本発明の実施の形態を図１〜図５に基ずいて説明する。
【００１６】  本発明の開いた雨傘図４を閉じる時は、図３に示すように下ろくろ７を押し上げて雨傘を閉じる動作を始める。下ろくろ７を押上げる場合ストッパー１１は固定する機能が無く無抵抗で上に押上げる事が出来る。同時に下ろくろ７に軸止めした受け骨５で親骨４を押上げて防水シート１２と共に雨傘を閉じる事となる。
【００１７】  下ろくろ７の首部９で上ろくろ６のストッパー１０を押え、上ろくろ６を摺動可能な状態にして図１に示す通り柄１を畳み込まれた防水シート１２の中に差し込み、収めて雨傘を閉じる。
【００１８】  降車時には、図１示す裏返しに閉じた雨傘を少し開らいたドアと車体の間に差し込み、図２図３に示す通り、畳込まれた防水シートの中から柄１を引き出し上部のストッパー１０で上ろくろ６を柄１の先端部に固定したうえ、さらに下ろくろ７を下部のストッパー１１まで引き下げて固定し、図４の通り本発明の雨傘を開く。
【００１９】  下ろくろ７に取付けた受け骨５が、下ろくろ７の引き下げに連動して親骨４を引張り、親骨４は放射状に展開する。それに伴い裏返しに畳込まれていた防水シートも親骨と一体的に開く、その時傘の開きに合わせて雨に打たれないよう体を車外へ移動する。
【００２０】  乗車時には、図３図２に示す通り、下ろくろ７を押上げると受け骨５が連動して親骨４が押上げられ、防水シート１２が畳まれて雨傘が裏返しに閉じる。雨傘が閉じる状態に合わせて体を車内に入れる。
【００２１】  押し上げられた下ろくろ７の首の部分９がストッパー１０を押え込んで図２に示す様に固定されていた上ろくろ６を摺動可能な状態に戻し、図２図１に示す通り柄１を折り畳まれた防水シート１２の中に差し込んで収める。
【００２２】  なお、図５に示す通り従来の雨傘同様に防水面を表にして閉じる場合はストッパー１１を押さえて下ろくろ７を引き下げれば従来の雨傘と同様に閉じる事も出来る。
【図面の簡単な説明】
【００２３】  ［図１］  本発明の雨傘が防水シートを裏返して閉じかつその中に柄を収めた状態を示す断面図である。
［図２］  本発明の雨傘が開く途上で柄を半ば引き出した状態を示す断面図である。
［図３］  防水シートの中から柄を完全に引き出し、上ろくろをストッパーで固定した状態を示す断面図である。
［図４］  上下ろくろがそれぞれ上下のストッパーで固定され、本発明の雨傘が開いた状態を示す断面図である。
［図５］  本発明の雨傘が従来の傘同様に防水面を表にして閉じた状態を示す断面図である。
【符号の説明】
１、  雨傘の柄
２、  柄のキャップ
３、  雨傘の持ち手
４、  親骨
５、  受け骨
６、  上ろくろ
７、  下ろくろ
８、  下ろくろ下部のストッパー用開口部
９、  上部ストッパー押え用の下ろくろの首部
１０、上ろくろ用のストッパー
１１、下ろくろ用のストッパー
１２、防水シート
【図１】
2006187374.tif 000003
【図２】
2006187374.tif 000004
【図３】
2006187374.tif 000005
【図４】
2006187374.tif 000006
【図５】
2006187374.tif 000007
(57)【要約】      （修正有）【課題】顔を上に向け、舌を口の中から咽に引っ込めることにより、気道を塞がないようにして、睡眠時の無呼吸、いびきを防止する枕を提供する。【解決手段】顔を上に向け、舌を口の中から咽に引っ込め気道を塞がない首に敷く枕。また、顔が上を向く形の頭に敷く枕。【選択図】なし【特許請求の範囲】
【請求項１】
睡眠時の無呼吸やいびきを防止するため首にしくまくら。
【請求項２】
頭にしく枕でも顔が上を向くカタチの枕。
【発明の詳細な説明】
【技術分野】
【０００１】本発明は睡眠時の無呼吸、いびきを防止する枕に関する。
〔背景技術〕【０００２】従来の頭にしく枕は顔が下を向くようになっていたため舌が口の中にありそれが気道をふさぎ無呼吸やいびきの原因であった。
〔発明の開示〕
〔発明が解決しょうとする課題〕【０００３】この枕では必然的にいびきや無呼吸をひきおこしてしまう【０００４】本発明はこれをひきおこさないことを目的とする
〔課題を解決する手段〕
首にしく枕をつくれば舌がノドの位置になり（顔が上を向くため）気道をふさがない。
〔発明の効果〕【０００５】上述したように首にしく枕なら舌が口の中からノドにひっこみ気道をふさがない。
〔発明を実施するための最良の形態〕
頭に血がたまらないように個人の首にあった枕を作ること。
頭にしく枕でも顔が上を向くカタチのまくらを作ること。
【手続補正書】
【提出日】平成17年12月21日(2005.12.21)
【手続補正１】
【補正対象書類名】特許請求の範囲
【補正の内容】
2006187377.tif 000002
2006187377.tif 000003
2006187377.tif 000004
2006187377.tif 000005
【手続補正書】
【提出日】平成18年2月20日(2006.2.20)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
睡眠時の無呼吸やいびきを防止するため、頭や首又は、肩、背中からひいても顔が上を向き、舌が口の中からノドにひっこむまくら。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【発明の詳細な説明】
【技術分野】
【０００１】本発明は、睡眠時の、無呼吸、いびきを防止する枕に関する。
【背景技術】
【０００２】従来の頭にしく枕は、顔が下を向くようになるため舌が口の中にあり、それが気道をふさぎ無呼吸や、いびきの原因であった。首枕も、サイズやカタチが悪いため、頭に血がのぼるだけだった。
【発明が解決しようとする課題】
【０００３】この枕では必然的にいびきや無呼吸をひきおこしてしまう。
【０００４】本発明は、これをひきおこさないことを目的とする。
【発明の効果】
【０００５】顔が上を向く枕なら舌が口の中からノドにひっこみ、気道をふさがない。
【発明を実施するための最良の形態】頭や首、ひこうきのリクライニングシートのように、カタ、背中からひいても顔が上を向く枕をつくること。
(57)【要約】【課題】  靴のバックベルト（１）の滑り落ち防止の為の、足首（３）に固定する取り外し可能なアンクルストラップ（５）を提供する。【解決の手段】  靴のバックベルト（１）のアキレス部（２）に留めゴム（４）で固定し、足首（３）に固定することによって，バックベルト（１）の滑り落ちを防止する。さらに、ファッション感覚で楽しめるものである。【選択図】    図  ２
2006187370.tif 000002
【特許請求の範囲】
【請求項１】
靴のバックベルトのアキレス部に装着し、足首で止めることで、バックベルトの滑り落ちるのを防ぐことを特徴とするアンクルストラップ。
【発明の詳細な説明】
【技術分野】
【０００１】  この発明は、靴のバックベルトが滑り落ちるのを防ぐものである。
【背景技術】
【０００２】  従来、靴のバックベルトの内側に滑り止めシールを貼ることによって落ちるのを防ぐものがある。
【発明の開示】
【発明が解決しようとする課題】
【０００３】  これには、次のような問題点があった。
（イ）  シール式なので、貼りつけても歩いているうちにすぐバックベルトが滑り落ちてきてしまい、効果が低い。
（ロ）シール式なので、ストッキングに引っ付いてしまい、ストッキングの伝線の原因となっている。
（ハ）シール式なので、使用しているうちに靴が汚れてしまう。
本発明は、これらのマイナス面を除き、更なるプラス面をもたらすものである。
【課題を解決するための手段】
【０００４】  靴のバックベルトのアキレス部にゴムで装着し、足首に固定する。本発明は、以上のような構成によりなるバックベルト滑り落ち防止である。
【発明の効果】
【０００５】  靴のバックベルトに目立たなくしっかりと装着することができ、足首に固定することによって、歩きやすくなり、安心して楽に歩くことができるようになる。また、さまざまなデザインのものを作ることができ、取り外し可能なものなので、ファンション効果が高いものである。
【発明を実施するための最良の形態】
【０００６】  以下，本発明の実施の形態について説明する。
（イ）  取り付けは細い耐久性のあるゴム（４）状になっており、目立たなく、しっかりぴったりと取り付けることができる。
（ロ）  （イ）の留めゴム（４）を靴のバックベルト（１）のアキレス部に装着する。
（ハ）  アンクルストラップ（５）を足首（３）に固定する。
（ニ）  誰にでも、靴を選ばずに、簡単に取り付けることができる。
（ホ）  取り外し可能になっている。
（ヘ）  さまざまなデザインのものを作ることができる。
本発明は以上のような構造で、バックベルト（１）にアンクルストラップ（５）を装着し、足首（３）に固定することによって、滑り落ちるのを防止する。また、デザインが目立たない透明のものからお洒落なデザインのものまで、自由に製作することができ、取り外し可能なものなので、その時の服装に合わせられファッション効果のあるものである。アキレス部（２）の装着は、留めゴム（４）になっており、しっかりぴったりとフィットできる。誰にでも簡単に取り付けることができ、安心して楽に歩くことができるようになる。
【図面の簡単な説明】
【０００７】
【図１】本発明の正面図である。
【図２】本発明の装着図である。
【図３】本発明の装着過程図である。
【図４】デザインの例である。  １番目  透明ビニール素材のもの。装着しても目立たない。  ２番目  ブレスレット仕様  ３番目  パール仕様  ４番目  革素材の前で止めるタイプのもの。
【符号の説明】
【０００８】  １  バックベルト
２  アキレス部
３  足首
４  留めゴム
５  アンクルストラップ
【図１】
2006187370.tif 000003
【図２】
2006187370.tif 000004
【図３】
2006187370.tif 000005
【図４】
2006187370.tif 000006
(57)【要約】【課題】  パーソナル、業務用、ゲーム専用コンピューターの画面上に表示される画像内のプレイヤーキャラクター〔ゲームやその他ソフト中の中心的存在であり使用者の分身〕を使用者がキーボード上を指で歩くようなしぐさで操作することによって移動、定位させようとするものである。【解決手段】  それぞれのキーには表示画像内の特定の位置と符号するようプログラムがされており、使用者が押した他のキー３と連動してプレイヤーキャラクターがそれに符合する画像中に設定された位置４に足を下ろす。それら連続的な動作によって使用者の意思通りにプレイヤーキャラクターが歩いて移動、定位することを可能にする。【選択図】  図２
2006187368.tif 000002
【特許請求の範囲】
【請求項１】
パーソナル、業務用、ゲーム専用コンピューター等で使用するソフトウェアが起動されることによって画面に表示される画像を操作する場合には、通常マウスやキーボードのごく一部その他専用コントローラー〔外部制御装置〕等を使うが、本発明では画像中のプレイヤーキャラクター〔ゲームやその他ソフト中の中心的存在であり使用者の分身〕を動かす方法として、使用者が指２本を使ってキーボード上を歩くように交互に押すことでそのキーと符号する画像中の特定の位置にプレイヤーキャラクターを移動、定位させることをソフトウェア制作時のプログラムによって可能にしようとするものである。
これによりあたかもプレイヤーキャラクターが使用者の手と一体となったように感じさせ画面内で展開される物語やそれを示した画像に対する臨場感を強調しようとするものである。
【発明の詳細な説明】
【技術分野】
【０００１】本発明はパーソナル、業務用、ゲーム専用コンピューターで使用されるソフトウェアにおいて、画像の中のプレイヤーキャラクター〔ゲームやその他ソフト中の中心的存在であり使用者の分身〕を操作して移動、定位させる際のシステムに関する。
【背景技術】
【０００２】本来コンピューターに付属するキーボードとは文字や記号の信号をパーソナル、業務用、ゲーム専用コンピューターに入力する装置のことであるが、同時に多数のスイッチを持つ外部制御装置〔コントローラー〕としてとらえることもできる。
【発明の開示】
【発明が解決しようとする課題】
【０００３】コンピューターソフトの画像上でプレイヤーキャラクターを動かす手段としては、マウス、キーボードの方後キーその他、その他専用コントローラーのボタン操作によることが一般的であり、いずれも操作は楽ではあるが使用者自らが肉体的かつ直接的にプレイヤーキャラクターを動かす、という実感は持ちにくかった。
【課題を解決するための手段】
【０００４】キーボード上のあるキーが押された場合、それを認識しそれと符合するよう設定された画像中の特定の位置にプレイヤーキャラクターを定位させることで最初の段階が達成されるようプログラムする。【０００５】続いて最初のキーを押したままで他の指を使って隣接するキーを押すことでプレイヤーキャラクターはそのキーと符合する画像中の特定の位置に足を踏み出すことになる以下同様に使用者の指が押したり離したりするキーと連動してプレイヤーキャラクターは歩いて移動、または定位するようプログラムするのである。【０００６】交互に人が歩くように指でキーを押したり離したりしながら移動することで、画像中のプレイヤーキャラクターもそれに連動して歩いて移動、定位する。
【発明の効果】
【０００７】使用者がキーボードの上を歩くようなしぐさで操作することで画像中のプレイヤーキャラクターも同時に同じく歩いて移動、定位するため両者の一体感や臨場感を強調するのには有効な手段と考えられる。
【発明を実施するための最良の形態】
【０００８】以下発明の実施の形態を図面に基づき詳細に説明する。【０００９】図１に示すように使用者はまず始めにいずれかの指でキー１を押すとプレイヤーキャラクターがそのキーと符合するよう設定された画像中の位置２に定位する。【００１０】続いて図２に示すように使用者は最初のキーを押したまま他の指を使って人が足で歩くようなしぐさで他のキー３を押すと、それと符合するよう画像中に設定された位置４にプレイヤーキャラクターの足が踏み出される。
以下、使用者のこのような動作の連続でプレイヤーキャラクターが画像中を歩いて移動したり定位するのである。
【実施例】
【００１１】図３の内容が実行されるようプログラム言語を用いて構築したソフトウェアがパーソナル、業務用、ゲーム専用コンピューター内で起動している際に、使用者がキーボード上を歩くしぐさで操作をおこなった場合画面上に表示される画像の中で図のような内容が実行される。
【図面の簡単な説明】
【００１２】
【図１】最初のキーを押す、という行動を使用者がおこなった時の状態を示した図である。
【図２】最初のキーを押した後それを維持しつつ他のキーを押した状態を示した図である。
【図３】本発明のシステムを使用したプログラムの画像表示が行われる一連の行程を示したフローチャートである。
【符号の説明】
【００１３】１    キー
２    設定された画像中の位置
３    他のキー
４    画像中に設定された位置
【図１】
2006187368.tif 000003
【図２】
2006187368.tif 000004
【図３】
2006187368.tif 000005
(57)【要約】【課題】ほうきは使用を続けると先端の毛が開いてきて、そのまま使用すると毛の開いた部分に掃き残りができることが多いが、ほうきの先端の毛を束ねている穂の部分が一体のため、通常はほうき自体を廃却するまでこの状態のまま使用を続ける。【解決手段】先端の穂の部分を柄から取り外せるようにし、さらに穂の部分を中央で分け、それぞれ別々に表裏反転しても柄に取り付け、及び取り外しが可能な接合部を双方に設け、毛が開いてきたら穂の部分を柄から取り外し、左右それぞれ裏返して再度柄に取り付け使用する。これにより外側に開いた毛が中央に寄り、掃き残りが少ない状態で毛が摩滅するまで使用できる。【選択図】図１
2006187365.tif 000002
【特許請求の範囲】
【請求項１】
柄付きで扁平な公知のほうきにおいて、ほうきの先端の毛を束ねている▲３▼穂の部分を中央で二つに分け、それぞれ単独で▲２▼保持部に取り付け・取り外し・表裏反転可能にしたほうき及び機構。
【発明の詳細な説明】
【技術分野】
【０００１】  本発明はほうきの構成及び機構に関する。
【背景技術】
【０００２】  従来のほうきには先端の毛を束ねている部分（以下穂と呼ぶ）が柄もしくは保持部から取り外せるものとそうでないものがあるが、いずれも先端の穂の部分は一体である。
【発明の開示】
【発明が解決しようとする課題】
【０００３】  ほうきは使用を続けると先端の穂の毛が外側に開いてくる物が多く、これで掃くと開いた毛の間に掃き残りができ不便であるが、穂の部分が一体のため、ほうき自体を廃却するか、あるいは穂の部分が取り外し式のものは穂の部分を取り替えるまでそのまま使用するしかない。
【課題を解決するための手段】
【０００４】  本発明の実施の形態を図−１に示す。【０００５】  先端の▲３▼穂の部分を中央で二つに分け、それぞれ別々に表裏反転して▲２▼保持部に取り付け及び取り外し可能にする。【０００６】  図−１は▲３▼穂の部分の一方が▲２▼保持部に接合され、他方が▲２▼保持部に接合される前の状態を表し、使用時は双方の▲３▼穂とも▲２▼保持部に接合された状態で使用する。
【発明の効果】
【０００７】  ほうきの使用を続け、先端の▲３▼穂の毛が開いたら左右の▲３▼穂の部分それぞれを▲２▼保持部から取り外し裏返して再度▲２▼保持部に取付け、使用する。【０００８】  なお、このほうきの先の▲３▼穂の部分が開いた状態（左側）と、これを左右それぞれ反転した状態（右側）を図−２に示す。【０００９】  毛が開いて中央が空いている状態から▲３▼穂の反転によって毛が中央に寄り、中央の空いていた部分がなくなっている。【００１０】  この状態で使用して、また▲３▼穂の毛が外側に開いてきたら、再度▲３▼穂の部分を反転すればまた毛が中央に寄り、中央に空きがない状態でほうきを長く使える。
【図−１】
2006187365.tif 000003
【図−２】
2006187365.tif 000004
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
柄付きで扁平な公知のほうきにおいて、ほうきの先端の毛を束ねている穂の部分と柄を取り外し式とし、かつ、穂の部分を中央で二つに分け、それぞれ単独で表裏反転しても柄に取り付け、及び取り外し可能な接合部を設けたほうき。
【手続補正２】
【補正対象書類名】明細書
【補正対象項目名】全文
【補正方法】変更
【補正の内容】
【発明の詳細な説明】
【技術分野】
【０００１】本発明はほうきの構成及び機構に関する。
【背景技術】
【０００２】従来のほうきには先端の毛を束ねている部分（以下穂と呼ぶ）が柄から取り外せるものとそうでないものがあるが、いずれも先端の穂の部分は一体である。
【発明の開示】
【発明が解決しようとする課題】
【０００３】ほうきは使用を続けると先端の穂の毛が外側に開いてくる物が多く、これで掃くと開いた毛の間に掃き残りができ不便であるが、穂の部分が一体のため、ほうき自体を廃却するか、あるいは穂の部分が取り外し式のものは穂の部分を取り替えるまでそのまま使用するしかない。
【課題を解決するための手段】
【０００４】先端の穂の部分と柄を取り外し式にし、かつ、穂の部分を中央で二つに分け、それぞれ別々に、かつ、表裏反転しても柄に取り付け及び取り外し可能な接合部を設ける。
【発明の効果】
【０００５】ほうきの使用を続け、先端の穂の毛が開いたら左右の穂それぞれを柄の接合部から取り外し、裏返して再度柄の接合部に取付けることにより、毛が開いて中央が空いている状態だったものが、穂の反転によって毛が中央に寄り、中央の空いていた部分がなくなる。【０００６】この状態で使用して、また穂の毛が外側に開いてきたら、再度穂の部分を反転すればまた毛が中央に寄り、中央に空きがない状態でほうきを長く使える。
【発明を実施するための最良の形態】
【０００７】本発明の実施の形態を図１及び図２に基づいて説明する。【０００８】先端の穂の部分が平たい公知のほうきにおいて、ほうきの先端の毛を束ねている▲３▼穂の部分と▲１▼柄の双方に接合部を設けて取り外し式にし、▲１▼柄の方に設けた接合部を含む▲１▼柄からはみ出た部分を▲２▼保持部と呼ぶ。【０００９】さらに▲３▼穂の部分は中央で分け、それぞれ単独で、かつ、表裏反転しても▲２▼保持部に接合可能な機構を設ける。【００１０】具体的には、▲２▼保持部の▲３▼穂側端面から少し離れた位置の▲２▼保持部の表裏に横に溝を設けるとともに、この溝に勘合する突出部を▲３▼穂側の接合部に設け、かつ、▲２▼保持部の溝から先の部分が入るスペースを▲３▼穂側の接合部に設け、これらの溝と突出部が勘合するように▲３▼穂を横にスライドさせて▲２▼保持部と▲３▼穂を接合する。【００１１】この状態でほうきを使用し、▲３▼穂の部分が開いたら、▲３▼穂の部分を▲２▼保持部から取り外し、表裏反転し、再度▲２▼保持部に取付ける。【００１２】▲３▼穂の毛が開いて中央が空いていた状態が改善され、毛が中央に寄った状態での使用が可能になる。
【図面の簡単な説明】
【００１３】
【図１】請求項１のほうきにおいて、保持部と穂をスライド式で連結した場合の正面図で、一方の穂は保持部に取り付け、他方の穂は保持部に取り付ける前の状態を示す。
【図２】請求項１のほうきにおいて、保持部と穂をスライド式で連結した場合の側面図で、保持部と穂の連結部の拡大図及び連結していない状態の拡大図を併記。
【符号の説明】
【００１４】▲１▼  柄
▲２▼  保持部
▲３▼  穂
【手続補正３】
【補正対象書類名】図面
【補正対象項目名】全図
【補正方法】変更
【補正の内容】
【図１】
2006187365.tif 000005
【図２】
2006187365.tif 000006
(57)【要約】      （修正有）【課題】プレーヤー全員が観ることができ、不必要な場合には邪魔にならない形態に出来るコースガイド展示板を提供する。 【解決手段】カート前部の上部に、カートに取り付ける取り付け板１を取り付けることにより、乗車したプレーヤー全員がコースガイド展示板を観ることができる。    コースガイド展示板が不必要な場合、前面パネル２をスプリング丁番３で折り畳み、カートに乗車しているプレーヤーの邪魔にならないように出来る。 【選択図】図１
2006187445.tif 000002
【特許請求の範囲】
【請求項１】
ゴルフ場のカート向けコースガイド展示板。カートの座席正面中央のフロントガラス上部に取り付け、プレーヤーは前部座席、        
後部座席全員が見えるようになり、不要の場合は天井面に折りたたむ構造を特徴とするコースガイド展示板である。
【発明の詳細な説明】
【技術分野】
【０００１】
本考案は、ゴルフ場にてカートに乗ってコースを戦略する際、容易に操作ができるコースガイド展示板である。
【０００２】
カートに乗るプレーヤー全員が観やすいフロントガラスの上部に取り付け、カートに乗車の際、邪魔にならないことである。
【０００３】
コースを熟知しているプレーヤーが、もしコースガイドが不必要な場合は天井面に折りたためることができる。
【０００４】
展示板にコースガイドの印刷物を置かない場合、透明ポリカーボネイト樹脂を使うことにより、前が見えるようにし、尚、屋外で使用しても耐候性がよく割れにくくなっている。
【非特許文献１】スガツネ工業株式会社  総合カタログＮＯ．１５０
【発明の開示】
【発明の効果】
【０００５】
コースガイド展示板をカート上部のフロントガラス前に設置することにより、プレーヤー全員が観ることができ、それが不必要な場合は上部に折りたためる利点がある。
【発明が解決しようとする課題】
【０００６】
コースを熟知するプレーヤーは正面上にコースガイド展示板があると邪魔になる点である。
【課題を解決するための手段】
【０００７】
コースガイド展示板が不必要な場合、カートの天上面に折りたためることを最も主要な特徴とする。
【発明を実施するための最良の形態】
【０００８】
カートによりプレイをする場合、キャディ無でプレイするにふさわしい展示板である。
【実施例】
【０００９】
図１は、コースガイド展示板を詳細項目（１）の取り付け板によりフロント上部に取り付け、プレーヤー全員が観えるように正面に提示した場合である。
【００１０】
図２は、不必要となった場合、コースガイド展示板を詳細項目（２）の前面パネルと取り付け板との間にある詳細項目（３）のスプリング丁番を利用し、折りたたんだ状態である。
【図面の簡単な説明】
【００１１】
【図１】コースガイド展示板を使用したときの正面図である。
【図２】コースガイド展示板を不使用の場合の正面図である。
【符号の説明】
【００１２】
１      カートにつける取り付け板（ステンレス）
２      前面パネル（ポリカーボネイト樹脂）
３      スプリング丁番（ポリアセタール樹脂）
【図１】
2006187445.tif 000003
【図２】
2006187445.tif 000004
(57)【要約】【課題】刃先と刃が共に互いに密着するように作用する触点を備え、しかも触点の突出量を調整して常に良好な切れ味を確保することができる理髪用鋏を提供する。【解決手段】静刃となる一方の刃体３の枢軸５と指環部１との間の基部内面に突起となる二つの調節ネジ１１及び１２を峯側と刃側に外側より捩込んでＲ状をなす先端を基部内面より突設し、頭髪を切断するため鋏を開いた状態では峯側の調節ネジ１１のみが他方の刃体４の基部内面に当接し、両刃体３、４の刃先及び刃を密着させる。刃先が若干開いた状態では、二つの突起１１、１２が刃体４の基部内面に当接し、刃体３、４が二つの突起１１、１２と刃先の三点で支持される。【選択図】図２
2006187468.tif 000002
【特許請求の範囲】
【請求項１】
指環部を供えた第１及び第２の刃体を基部において枢軸により回動自在に軸着した鋏において、両刃体のうち、一方の刃体の枢軸と指環部との間の基部内面の峯側に他方の刃体の基部内面に点接触して刃が互いに押付けられるように作用する突起を突設したことを特徴とする鋏。
【請求項２】
上記一方の刃体の基部内面に上記突起とは別に第２の突起を突設したことを特徴とする請求項１記載の鋏。
【請求項３】
上記突起が刃体の基部に捩じ込まれる調節ネジであることを特徴とする請求項１又は２記載の鋏。
【請求項４】
上記鋏が理髪用鋏であることを特徴とする請求項１ないし３のいずれかの請求項に記載の鋏。
【発明の詳細な説明】
【技術分野】
【０００１】
本発明は、鋏、ことに理容院や美容院で用いられるのに適した理髪用鋏に関する。
【背景技術】
【０００２】
図１は、理髪用鋏について示すもので、この鋏は一般に指環部１、２を備えた刃体３、４を基部において枢軸５により回動自在に軸着した構成を有しており、両刃体３、４は枢軸５から刃先にかけて捩って形成されると共に、枢軸５と指環部１、２との間の基部内面に触点を形成し、鋏開閉操作時の枢軸５を支点とする触点に沿った回動により両刃体の刃先が互いに押付けられるように刃を密着させて頭髪の切断を行うようになっている。
【発明の開示】
【発明が解決しようとする課題】
【０００３】
触点は、基部内面に枢軸の周りに弧状に形成され、触点同士の接触により刃先が互いに押付けられるように作用する。触点同士の接触は、面接触となるが、加工精度上の問題から局部的な接触で、しかもその接触箇所が不特定となりがちであることから、接触箇所によって刃が開くようになり、切れ味が低下することがある。
【０００４】
触点はまた、鋏の長期間の使用により、或いはまた刃を研ぐ際に磨耗し、刃先を互いに押付けるように作用する触点の機能が損われがちであった。
【０００５】
本発明の第１の目的は、刃先と共に刃が互いに密着するように作用する触点を備えた鋏を提供しようとするものであり、第２の目的は、触点の突出量を調整することが可能で、常に良好な切れ味を確保することができる鋏を提供しようとするものである。
【課題を解決するための手段】
【０００６】
請求項１に係わる発明は、第１の目的を達成する鋏に関するもので、指環部を供えた第１及び第２の刃体を基部において枢軸により回動自在に軸着した鋏において、両刃体のうち、一方の刃体の枢軸と指環部との間の基部内面の峯側に他方の刃体の基部内面に点接触して刃が互いに押付けられるように作用する突起を突設したことを特徴とし、
請求項２に係わる発明は、請求項１に係わる発明において、上記一方の刃体の基部内面に上記突起とは別に第２の突起を突設したことを特徴とする。
【０００７】
請求項３に係わる発明は、第２の目的を達成する鋏に関するもので、請求項１又は２に係わる発明において、突起が刃体の基部に捩じ込まれる調節ネジであることを特徴とする。
【０００８】
請求項４に係わる発明は、請求項１ないし３に係わる発明の鋏が理髪用鋏であることを特徴とする。
【発明の効果】
【０００９】
請求項１に係わる発明によると、突起が他方の刃体の基部内面に接触している限りは、刃先及び刃が互いに押付けられるようになり、切れ味を常に良好に維持させることができ、また接触は突起のある特定の箇所で行われ、刃が開くことなく常に安定して押付けられるようになる。
【００１０】
請求項２に係わる発明によると、刃先が若干開いた状態では、刃体が基部の二つの突起と、刃とで三点支持されるようになり、これにより刃体がぐら付くことなく刃先の動きが安定する。なお、刃先が若干開いた状態では、第二の突起は他方の刃体の基部内面に当接して刃を開くように作用するが、二つの突起が刃先を互いに密着させるように作用しているため、切れ味が損なわれることはない。
【００１１】
請求項３に係わる発明によると、調節ネジを捩じ込み或いは弛めることにより、基部内面からの突出量を最適量に調整することができ、調節により摩耗に対処することができる。また、刃を研ぐ際には、調節ネジを引込めて刃体を研ぐことが可能となる。
請求項４に係わる発明によると、頭髪のカット作業を切れ味よく容易に行うことができる。
【発明を実施するための最良の形態】
【００１２】
以下、本発明の実施形態について図面により説明する。
図２は、図１に示す理髪用鋏において、静刃となる一方の刃体３の枢軸５と指環部１との間の基部内面に突起となる二つの調節ネジ１１及び１２を峯側と刃側に外側より捩込んでＲ状をなす先端を基部内面より突設したもので（図３参照）、調節ネジ１１及び１２を捩じ込み或いは弛めることにより、基部内部からの突出量が調整できるようにしている。上述する調節ネジは、好ましくは先端にボールが回転自在に嵌着される。これにより鋏開閉時にはボールが動刃となる他方の刃体４の基部内面を転動し、鋏開閉操作がスムースに行えるようになる。
【００１３】
頭髪を切断するため鋏を開いた状態では、図２に示すように、峯側の調節ネジ１１のみが他方の刃体４の基部内面に当接し、これにより両刃体３、４の刃先及び刃が互いに押付けられるように密着する。図２に示す状態より鋏を閉じ、刃先が若干開いた図４に示す状態になると、第２の突起となる調節ネジ１２が他方の刃体４の基部内面に当接するようになり、刃体３、４が二つの調節ネジ１１及び１２と刃先の三点で支持されるようになって刃先の動きが安定し、刃先が密着した状態で刃先での切れ味を良好に維持することができるようになっている。
【産業上の利用可能性】
【００１４】
本発明は、理容院や美容院で頭髪をカットする理髪用鋏ばかりでなく、紙や布等を切断する鋏にも適用することができる。
【図面の簡単な説明】
【００１５】
【図１】理髪用鋏の平面図。
【図２】本発明に係わる理髪用の平面図。
【図３】図２のＡ−Ａ線における拡大断面図。
【図４】刃先が若干開いた状態での理髪用鋏の要部の平面図。
【符号の説明】
【００１６】
１、２・・指環部
３、４・・刃体
５・・枢軸
１１、１２・・調節ネジ
【図１】
2006187468.tif 000003
【図２】
2006187468.tif 000004
【図３】
2006187468.tif 000005
【図４】
2006187468.tif 000006
(57)【要約】【課題】  遭難場所が海上、山中、ましてや降雨の中で如何に第三者の目撃が期待されるかである。【解決の手段】たとえ海上  山中であれ、本案の遭難場所報知筒の外部を完全防水した事によって、天候によって左右されないことを特徴とする。【選択図】図１
2006118842.tif 000002
【特許請求の範囲】
【請求項１】
外部全体が完全防水された、遭難場所報知筒。
【発明の詳細な説明】
【技術分野】
【０００１】この発明は、外部全体が完全防水された遭難場所報知筒に関するものである。
【背景技術】
【０００２】従来から、遠隔地への報知物はある。
【発明の開示】
【発明が解決しようとする課題】
【０００３】  これらは、次のような欠点があった。
（イ）狼煙（のろし）、モ−ルス信号は不可能である。
（ロ）手旗も、山中では用を足さず海上でも困難である。
（ハ）発煙筒は、山中で使用できず複数持ち歩くことは困難。
（ニ）携帯電話は、海上で濡れれば不能で山中では送信不可能の所もあり、正確な位置を伝えることも困難。
本発明は、これらの欠点を除くためになされたものである。
【課題を解決するための手段】
【０００４】  本体（５）の中に、着火線（６）破裂剤（４）花火玉（３）を詰めシ−ル（２）を貼り、最後に外部を完全防水する。
本発明は、以上の構成による遭難場所報知筒である。
【発明の効果】
【０００５】本発明は以上の構造で、遭難事に図１の本体（５）着火線（６）への握力があれば、発見救出の可能性は多大である。
【発明を実施するための最良の形態】
【０００６】  以下、本案の実施の形態について説明する。
（イ）外部を完全防水された遭難場所報知筒本体（５）の中には、花火玉（３）破裂剤（４）着火線（６）が装備されている。
（ロ）遭難事に、遭難場所報知筒（５）を握り、着火線（６）を引き抜くと破裂剤（４）に着火破裂する。
（ハ）破裂剤（４）の破裂により、花火玉（３）がシ−ル（２）を破り空中へ放出、上空で花火（１）となる。
（ニ）この花火（１）は第三者の目撃を期待でき、数回この機会を持てれば発見救助の機会は比例する。
【図面の簡単な説明】
【０００７】
【図１】本発明の１部を切り欠いた側面図である。
【符号の説明】
【０００８】１  花火        ２  シ−ル      ３  花火玉
４  破裂剤      ５  本体        ６  着火線
【図１】
2006118842.tif 000003